【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
粉状製剤を収容するカプセルから粉状薬剤を吸入するための吸入器であって、
（ａ）粉状製剤を収容するカプセルを受け、空気吸入開口および空気排出開口を有するカプセルチャンバを備えるカプセル保持器と、
前記カプセルチャンバ内のカプセルを開封するための、前記カプセルチャンバに付随するカプセル開封装置と、
前記カプセル開封装置用の、指で操作可能なアクチュエータと
を備える組立体と、
（ｂ）マウスピースまたはノーズピースと
を備え、
それによって、使用者が、前記空気吸入開口を通って、開封された前記カプセルからの粉薬を乗せる前記カプセルチャンバ内から、次いで前記カプセルチャンバの外へ、前記空気排出開口、および前記マウスピースまたはノーズピースを通って空気を吸い出し、次いで前記使用者の肺の中に空気を吸い込むことができ、
前記組立体（ａ）、および前記マウスピースまたはノーズピース（ｂ）が、互いに蝶番式に取り付けられており、その結果、前記マウスピースが、前記カプセルチャンバ内に前記カプセルを装填するために、前記マウスピースまたはノーズピースが前記カプセルチャンバの前記空気排出開口から離隔されている開放状態と、前記マウスピースまたはノーズピースが、使用のために前記カプセルチャンバの前記空気排出開口と空気流連通状態に配置されている閉鎖状態との間を枢動することができる吸入器であって、
（ｃ）上方殻部分に蝶番式に取り付けられている下方殻部分を備える、開け閉めが可能な剛体外側殻
をさらに備える吸入器において、
前記組立体（ａ）が、前記下方殻部分内に保持され、通常の使用中は、前記下方殻部分に対して移動することができず、ならびに／あるいは、
前記組立体（ａ）と前記マウスピースまたはノーズピース（ｂ）とが第１の蝶番式ユニットを画定し、前記外側殻（ｃ）が第２の蝶番式ユニットを画定し、前記第１の蝶番式ユニットは前記第２の蝶番式ユニット自体から取り外すことができるように使用のために前記第２の蝶番式ユニット内に配置され、ならびに／あるいは、
前記組立体（ａ）と前記マウスピースまたはノーズピース（ｂ）とが前記外側殻内に配置され、前記上方殻部分および下方殻部分のそれぞれが、前記殻部分の唇部を画定する円周方向の縁部を有し、前記殻が閉鎖状態にあるとき、前記各殻部分の縁部の輪郭が、前記縁部の周りで実質的に完全に他方の前記縁部の前記輪郭に一致し、および、
前記外側殻の前記下方殻部分が、その縁部によって画定されている上部開口から下方向に向かって内側に先が細くなっており、前記組立体（ａ）も対応して前記下方向に向かって内側に先が細くなり、その結果、前記組立体（ａ）が前記下方殻部分内に受けられることが可能になり、前記カプセル開封装置用の前記指で操作可能なアクチュエータが、前記下方殻部分内の開口を通って前記下方殻部分の前記縁部下方に突出し、それによって、前記下方殻部分の前記縁部が完成することを特徴とする吸入器。
【請求項２】
前記組立体（ａ）または前記第１の蝶番式ユニットが、前記下方殻部分の前記縁部によって画定されている前記上部開口を上方に通り抜けて、前記下方殻部分から取り外されることが可能である、請求項１に記載の吸入器。
【請求項３】
前記組立体（ａ）が、前記下方殻部分内に保持され、通常の使用中、前記下方殻部分に対して、移動することができない、請求項１に記載の吸入器。
【請求項４】
前記組立体（ａ）、および前記マウスピース（ｂ）が第１の蝶番式ユニットを画定し、前記外側殻（ｃ）が第２の蝶番式ユニットを画定し、前記第１の蝶番式ユニットを前記第２の蝶番式ユニット自体から取り外すことができるように前記第１の蝶番式ユニットが使用のために前記第２の蝶番式ユニット内に配置される、請求項１または２に記載の吸入器。
【請求項５】
前記組立体（ａ）、および前記マウスピース（ｂ）が、前記外側殻内に配置され、前記上方殻部分および下方殻部分のそれぞれが、前記部分の唇部を画定する円周方向の縁部を有し、前記殻が閉鎖状態にあるとき、前記各殻部分の縁部の輪郭が、前記縁部の周りで実質的に完全に他方の前記縁部の前記輪郭に一致する、請求項１に記載の吸入器。
【請求項６】
前記組立体（ａ）、および前記マウスピースまたはノーズピース（ｂ）によって画定されている第１の蝶番式ユニット、ならびに前記外側殻（ｃ）によって画定されている第２の蝶番式ユニットの蝶番が互いから分離可能である、請求項４または５に記載の吸入器。
【請求項７】
前記組立体（ａ）が、前記外側殻の前記下方殻部分内に実質的に完全に受けられる、請求項１〜６のいずれか一項に記載の吸入器。
【請求項８】
前記吸入器が、単一のカプセルチャンバを備える、請求項１〜７のいずれか一項に記載の吸入器。
【請求項９】
前記組立体（ａ）、および前記マウスピースまたはノーズピース（ｂ）が第１の蝶番式ユニットを画定し、前記外側殻（ｃ）が第２の蝶番式ユニットを画定し、前記第１の蝶番式ユニットを前記第２の蝶番式ユニット自体から取り外すことができるように前記第１の蝶番式ユニットが使用のために前記第２の蝶番式ユニット内に配置され、前記組立体（ａ）、および前記マウスピースまたはノーズピース（ｂ）が、前記外側殻内に配置され、前記上方殻部分および下方殻部分のそれぞれが、前記部分の唇部を画定する円周方向の縁部を有し、前記殻が閉鎖状態にあるとき、前記各殻部分の縁部の輪郭が、前記縁部の周りで実質的に完全に他方の前記縁部の前記輪郭に一致する、請求項４または５に記載の吸入器。
【請求項１０】
前記組立体（ａ）、および前記下方殻部分が、前記組立体（ａ）を前記下方殻部分に配置するために、前記組立体（ａ）が、前記下方殻部分内に滑り嵌め、押込み嵌め、またはスナップ嵌めされるように適合されている、請求項１〜９のいずれか一項に記載の吸入器。
【請求項１１】
前記吸入器の前記マウスピースまたはノーズピース（ｂ）が、前記マウスピースまたはノーズピース（ｂ）と前記組立体（ａ）との間の前記蝶番の枢動線から離れて、前記マウスピースまたはノーズピースから、前記枢動線の反対側に延在する突出部を備え、前記組立体（ａ）が停止面を備え、前記停止面は、前記マウスピースまたはノーズピース（ｂ）が前記カプセルチャンバの前記空気排出開口に隣接している閉鎖状態から脱して、ある角度以上、前記マウスピースまたはノーズピース（ｂ）が回転した後、前記突出部が前記停止面に支えられるように配置されており、それによって、前記ある角度の回転が達成された後、前記マウスピースまたはノーズピース上にさらに圧力を加えることにより、前記組立体（ａ）が、前記下方殻部分内の嵌合から外れて持ち上がることになって、前記組立体を前記殻から取り外すことを助ける、請求項４または５に記載の吸入器。
【請求項１２】
前記組立体（ａ）と前記マウスピースまたはノーズピース（ｂ）との間の前記蝶番が、分離可能な蝶番であって、その結果、前記蝶番が破損する前に分離することになる、請求項１〜１１のいずれか一項に記載の吸入器。
【請求項１３】
前記マウスピースまたはノーズピース（ｂ）が前記カプセルチャンバの前記空気排出開口に隣接して配置されている閉鎖状態で、前記マウスピースまたはノーズピース（ｂ）が、前記組立体（ａ）に手動で取外し可能に嵌合するように適合されている、請求項１〜１２のいずれか一項に記載の吸入器。
【請求項１４】
前記殻の前記２つの部分が、前記殻の前記閉鎖状態で互いに対して手動で取外し可能に嵌合するように適合されている、請求項１〜１３のいずれか一項に記載の吸入器。
【請求項１５】
前記外側殻の前記上方部分が、前記殻の前記閉鎖状態で前記マウスピース（ｂ）に手動で取り外し可能に嵌合するように適合されており、その結果、使用のために用意をする際、使用者によって前記殻が開放されると、対応して、前記マウスピースまたはノーズピース（ｂ）が前記組立体（ａ）から離れるように枢動して、カプセルを装填するために前記カプセルチャンバを露出する、請求項１〜１４のいずれか一項に記載の吸入器。
【請求項１６】
前記組立体（ａ）、および前記マウスピースまたはノーズピース（ｂ）の前記蝶番式の取り付けが、前記部分間の直接の蝶番式結合によってもたらされる、請求項１〜１５のいずれか一項に記載の吸入器。
【請求項１７】
前記組立体（ａ）、および前記マウスピースまたはノーズピース（ｂ）の前記蝶番式の取り付けが、前記部分間の間接の蝶番式結合によってもたらされる、請求項１〜１５のいずれか一項に記載の吸入器。
【請求項１８】
ゼラチン、ヒドロキシプロピルメチルセルロース、ヒドロキシプロピルセルロース、またはそれらの任意の組合せから選択された材料から形成されるカプセルと共に使用するための、請求項１〜１７のいずれか一項に記載の吸入器。
【請求項１９】
粉状製剤を吸入する際に使用するための、請求項１〜１８のいずれか一項に記載の吸入器。
【請求項２０】
請求項１〜１９のいずれか一項に記載の吸入器内で使用するために、（１）蝶番式ユニットとしての前記組立体（ａ）、および前記マウスピースまたはノーズピース（ｂ）、あるいは（２）蝶番式ユニットとしての前記外側殻（ｃ）、あるいは（３）前記外側殻（ｃ）、および前記マウスピースまたはノーズピース（ｂ）を備える、蝶番式ユニット。
【請求項２１】
前記蝶番式ユニットが、前記組立体（ａ）、および前記マウスピースまたはノーズピース（ｂ）を備えるが、前記外側殻（ｃ）を備えない、請求項２０に記載の蝶番式ユニット。
【請求項２２】
前記蝶番式ユニットが、前記外側殻（ｃ）を備えるが、前記組立体（ａ）、および前記マウスピースまたはノーズピース（ｂ）を備えない、請求項２０に記載の蝶番式ユニット。
【請求項２３】
前記蝶番式ユニットが、前記外側殻（ｃ）、および前記マウスピースまたはノーズピース（ｂ）を備えるが、前記組立体（ａ）を備えない、請求項２０に記載の蝶番式ユニット。